(57)【特許請求の範囲】
【請求項１】
空気の吸込口および吐出口を有すると共に前記吸込口および前記吐出口を結ぶ空気通路を内部に有する筐体と、前記空気通路上に配置されると共に空気中の臭気成分を触媒により分解処理する触媒フィルタと、前記空気通路内に空気を流通させる送風機とを有する空気清浄機であって、
湾曲可能なコード状構造を有すると共に前記触媒フィルタの面上に配置されて前記触媒フィルタを加温する加温手段と、前記加温手段を前記触媒フィルタの面に略接触させつつ保持する保持部材とを有し、且つ、
前記加温手段が前記保持部材の一方の端部から他方の端部に向かって蛇行して配置され、前記保持部材が前記加温手段を湾曲させて係止するための係止部を備えると共に前記加温手段を貼り付けて固定するための粘着部を備え、前記粘着部が前記保持手段の一方の端部から他方の端部に向かって延在して配置されたことを特徴とする空気清浄機。
【請求項２】
空気の吸込口および吐出口を有すると共に前記吸込口および前記吐出口を結ぶ空気通路を内部に有する筐体と、前記空気通路上に配置されると共に空気中の臭気成分を触媒により分解処理する触媒フィルタと、前記空気通路内に空気を流通させる送風機とを有する空気清浄機であって、
湾曲可能なコード状構造を有すると共に前記触媒フィルタの面上に配置されて前記触媒フィルタを加温する加温手段と、前記加温手段を前記触媒フィルタの面に略接触させつつ保持する保持部材とを有し、且つ、
前記保持部材が記加温手段を湾曲させて係止するための係止部を備え、前記加温手段が温度過昇を防止するサーモユニットを有し、前記サーモユニットが前記保持部材により保持されると共に設置状態にて前記触媒フィルタの面の略中央に配置されることを特徴とする空気清浄機。
【請求項３】
空気の吸込口および吐出口を有すると共に前記吸込口および前記吐出口を結ぶ空気通路を内部に有する筐体と、前記空気通路上に配置されると共に空気中の臭気成分を触媒により分解処理する触媒フィルタと、前記空気通路内に空気を流通させる送風機とを有する空気清浄機であって、
湾曲可能なコード状構造を有すると共に前記触媒フィルタの面上に配置されて前記触媒フィルタを加温する加温手段と、前記加温手段を前記触媒フィルタの面に略接触させつつ保持する保持部材とを有し、且つ、
前記保持部材が記加温手段を湾曲させて係止するための係止部を備え、前記加温手段が温度過昇を防止するサーモユニットを有し、前記サーモユニットの単一の感熱部が前記加温手段上の複数の位置から温度を検出することを特徴とする空気清浄機。
【請求項４】
前記加温手段が部分的に蛇行間隔を狭めて配置されると共に、前記加温手段の蛇行間隔が狭められている部分に前記サーモユニットが配置される請求項３に記載の空気清浄機。
【請求項５】
前記保持部材が前記サーモユニットを保持するユニット保持部を有し、且つ、前記サーモユニットと前記ユニット保持部との間に断熱部材が配置される請求項２〜４のいずれか一つに記載の空気清浄機。
【請求項６】
前記触媒フィルタの上流側に配置されるサブフィルタを有し、且つ、前記保持部材が前記サブフィルタの保持部材を兼ねる請求項１〜５のいずれか一つに記載の空気清浄機。
【発明の詳細な説明】
【技術分野】
【０００１】
この発明は、空気清浄機に関し、さらに詳しくは、空気中の臭気成分を分解処理する触媒フィルタを有すると共にこの触媒フィルタの処理性能を向上できる空気清浄機に関する。
【背景技術】
【０００２】
室内の空気を清浄あるいは脱臭する空気清浄機では、空気中の臭気成分を触媒により分解処理する触媒フィルタが採用されている。この触媒フィルタは、一般に加温により分解処理の性能が向上する。このため、従来から、かかる触媒フィルタに対して加温手段が配置される構成が知られている。
【０００３】
かかる加温手段を有する触媒フィルタには、特許文献１に記載される技術が知られている。従来の触媒フィルタ（触媒ヒータ）には、加熱ヒータと、上記加熱ヒータに接合されて該加熱ヒータと空気との接触面積を拡大する伝熱部材とを備え、上記伝熱部材には、空気中の臭気物質又は有害物質を分解して無臭化又は無害化する脱臭触媒が表面に分散担持されていることを特徴とする。
【０００４】
【特許文献１】特開平１１−１９７４５６号公報
【発明の開示】
【発明が解決しようとする課題】
【０００５】
この発明は、空気中の臭気成分を分解処理する触媒フィルタを有すると共にこの触媒フィルタの処理性能を向上できる空気清浄機を提供することを目的とする。
【課題を解決するための手段】
【０００６】
上記目的を達成するため、この発明にかかる空気清浄機は、空気の吸込口および吐出口を有すると共に前記吸込口および前記吐出口を結ぶ空気通路を内部に有する筐体と、前記空気通路上に配置されると共に空気中の臭気成分を触媒により分解処理する触媒フィルタと、前記空気通路内に空気を流通させる送風機とを有する空気清浄機であって、湾曲可能なコード状構造を有すると共に前記触媒フィルタの面上に配置されて前記触媒フィルタを加温する加温手段と、前記加温手段を前記触媒フィルタの面に略接触させつつ保持する保持部材とを有し、且つ、前記加温手段が前記保持部材の一方の端部から他方の端部に向かって蛇行して配置され、前記保持部材が前記加温手段を湾曲させて係止するための係止部を備えると共に前記加温手段を貼り付けて固定するための粘着部を備え、前記粘着部が前記保持手段の一方の端部から他方の端部に向かって延在して配置されたことを特徴とする。
【０００７】
この空気清浄機では、稼働時にて加温手段により触媒フィルタが加温される。これにより、触媒フィルタに吸着されたガス状臭気の分解が促進されるので、空気清浄機の処理性能が向上する利点がある。
また、この空気清浄機では、加温手段が爪状の係止部に引っ掛けられ或いは挟み込まれて係止される。これにより、加温手段と保持部材との組立時にて、湾曲し易い加温手段を引き回しつつ保持部材に対して容易に取り付け得る利点がある。
また、この空気清浄機では、粘着部が加温手段を縦断して固定するので、加温手段を保持部材に取り付ける工程が容易となる利点がある。
【００１８】
また、この発明にかかる空気清浄機は、空気の吸込口および吐出口を有すると共に前記吸込口および前記吐出口を結ぶ空気通路を内部に有する筐体と、前記空気通路上に配置されると共に空気中の臭気成分を触媒により分解処理する触媒フィルタと、前記空気通路内に空気を流通させる送風機とを有する空気清浄機であって、湾曲可能なコード状構造を有すると共に前記触媒フィルタの面上に配置されて前記触媒フィルタを加温する加温手段と、前記加温手段を前記触媒フィルタの面に略接触させつつ保持する保持部材とを有し、且つ、前記保持部材が記加温手段を湾曲させて係止するための係止部を備え、前記加温手段が温度過昇を防止するサーモユニットを有し、前記サーモユニットが前記保持部材により保持されると共に設置状態にて前記触媒フィルタの面の略中央に配置されることを特徴とする。
【００２０】
また、この発明にかかる空気清浄機は、空気の吸込口および吐出口を有すると共に前記吸込口および前記吐出口を結ぶ空気通路を内部に有する筐体と、前記空気通路上に配置されると共に空気中の臭気成分を触媒により分解処理する触媒フィルタと、前記空気通路内に空気を流通させる送風機とを有する空気清浄機であって、湾曲可能なコード状構造を有すると共に前記触媒フィルタの面上に配置されて前記触媒フィルタを加温する加温手段と、前記加温手段を前記触媒フィルタの面に略接触させつつ保持する保持部材とを有し、且つ、前記保持部材が記加温手段を湾曲させて係止するための係止部を備え、前記加温手段が温度過昇を防止するサーモユニットを有し、前記サーモユニットの単一の感熱部が前記加温手段上の複数の位置から温度を検出することを特徴とする。
【００２１】
この空気清浄機では、加温手段の複数の位置から温度が検出されるので、一つの位置から温度が検出される構成と比較して、温度の検出精度が向上する。これにより、加温手段の温度過昇が適切に防止されるので、製品の安全性が向上する利点がある。
【００２２】
また、この発明にかかる空気清浄機は、前記加温手段が部分的に蛇行間隔を狭めて配置されると共に、前記加温手段の蛇行間隔が狭められている部分に前記サーモユニットが配置される。
【００２３】
この発明では、加温手段の蛇行間隔が狭められている部分にサーモユニットの感熱部が配置されるので、感熱部を用いて加温手段上の複数の位置から温度を検出するにあたり、小型の感熱部を採用し得る利点がある。
【００２４】
また、この発明にかかる空気清浄機は、前記保持部材が前記サーモユニットを保持するユニット保持部を有し、且つ、前記サーモユニットと前記ユニット保持部との間に断熱部材が配置される。
【００２５】
この空気清浄機では、断熱部材の断熱作用により、ユニット保持部の熱容量によるサーモユニットの温度低下が低減される。これにより、サーモユニットによる温度の検出精度が向上するので、加温手段の温度過昇がさらに効果的に防止される利点がある。
【００２６】
また、この発明にかかる空気清浄機は、前記触媒フィルタの上流側に配置されるサブフィルタを有し、且つ、前記保持部材が前記サブフィルタの保持部材を兼ねる。
【００２７】
この空気清浄機では、サブフィルタの保持部材が省略されるので、製品の部品点数が低減される利点がある。なお、サブフィルタとしては、例えば、触媒フィルタに積層される集塵フィルタや活性炭フィルタが挙げられる。
【発明の効果】
【００２８】
この発明にかかる空気清浄機では、稼働時にて加温手段により触媒フィルタが加温される。これにより、触媒フィルタに吸着されたガス状臭気の分解が促進されるので、空気清浄機の処理性能が向上する利点がある。
【発明を実施するための最良の形態】
【００２９】
以下、この発明につき図面を参照しつつ詳細に説明する。なお、この実施例によりこの発明が限定されるものではない。また、この実施例の構成要素には、当業者が置換可能かつ容易なもの、或いは実質的同一のものが含まれる。また、この実施例に記載された複数の変形例は、当業者自明の範囲内にて任意に組み合わせが可能である。
【実施例】
【００３０】
図１および図２は、この発明の実施例にかかる空気清浄機を示す斜視図（図１）および側面断面図（図２）である。図３は、図１に記載した空気清浄機の加温手段の配置構成を示す組立斜視図である。図４は、図３に記載した加温手段の保持構造を示す平面図である。図５および図６は、図４に記載した加温手段の保持部材を示す平面図（図５）および背面図（図６）である。図７および図８は、図４に記載した加温手段の保持構造を示す説明図である。図９〜図１１は、図４に記載した加温手段のサーモユニットの保持構造を示す説明図である。
【００３１】
［空気清浄機］
この空気清浄機１は、室内に設置されて空気の清浄あるいは脱臭を行う装置である。この実施例では、空気清浄機１の一例として脱臭器について説明する。
【００３２】
空気清浄機（脱臭器）１は、室内に設置されて室内のニオイを減少させ、ニオイによる不快感を低減する機能を有する。空気清浄機１は、例えば、一般家庭や高齢者施設の居住空間、トイレ、汚物室、廊下、病院の待合室や病室、医院の処置室、ペットホテル、動物病院の待合室や処置室などに設置される。また、空気清浄機１は、例えば、室内の床面に立てて設置され、或いは、室内の壁面に取り付けられて設置される。
【００３３】
空気清浄機１は、筐体２と、吸着脱臭部（吸着部）３と、オゾン脱臭部（オゾン分解部）４と、送風機５と、制御部６とを有する（図１および図２参照）。
【００３４】
筐体２は、箱型形状の樹脂製部材から成る。筐体２は、その側部に吸込口２１を有すると共に、その頂部に吐出口２２を有する。また、筐体２の内部には、吸込口２１から吐出口２２に至る空気通路Ｒが形成されている。そして、この空気通路Ｒ上に吸着脱臭部３、オゾン脱臭部４および送風機５が配置されている。
【００３５】
吸着脱臭部３は、空気中の塵およびガス状臭気を吸着する機能を有する。この吸着脱臭部３は、筐体２内の空気通路Ｒ上であって、筐体２の吸込口２１付近に配置される。吸着脱臭部３は、例えば、空気中の粗ゴミや煙臭（微粒子）などを捕集する集塵フィルタ３１、空気中のガス状臭気を吸着して分解する触媒フィルタ３２、および、触媒フィルタ３２を通過した空気中のガス状臭気の分解残を一時的に溜め込む活性炭フィルタ３３により構成され、これらが積層されて成る三層構造を有する（図２参照）。
【００３６】
オゾン脱臭部４は、オゾンにより空気中の臭気を分解する機能を有する。このオゾン脱臭部４は、筐体２内の空気通路Ｒ上であって吸着脱臭部３の下流側（筐体２の吐出口２２付近）に配置される。
【００３７】
送風機５は、送風により空気通路Ｒに空気を流通させる機能を有する。この送風機５は、例えば、シロッコファンにより構成され、吸着脱臭部３の下流側かつオゾン脱臭部４の上流側に配置される。
【００３８】
制御部６は、オゾン脱臭部４（紫外線ランプ４２）の駆動制御、送風機５の駆動制御、その他空気清浄機１の駆動に必要な制御を行う。
【００３９】
この空気清浄機１では、稼働時にて送風機５が駆動されると、室内の空気が吸込口２１から吸い込まれて吸着脱臭部３を通過する（図２参照）。すると、吸着脱臭部３にて高濃度臭気の脱臭処理が行われて空気中の強いニオイが除去される。具体的には、まず、吸着脱臭部３の集塵フィルタ３１にて空気中の粗ゴミや煙臭などが捕集される。次に、触媒フィルタ３２にて、空気中のガス状臭気が吸着されて分解される。次に、活性炭フィルタ３３にて、触媒フィルタ３２を通過した空気中のガス状臭気の分解残が一時的に溜め込まれる。
【００４０】
次に、空気が送風機５を経てオゾン脱臭部４に送られる（図２参照）。このオゾン脱臭部４では、空気中の低濃度臭気の脱臭処理が行われて、吸着脱臭部３にて除去されなかった空気中の微少なニオイが除去される。具体的には、オゾン脱臭部４のケース４１内にて、オゾン発生部（紫外線ランプ）４２により生成されたオゾンと空気とが反応して、空気の脱臭処理が行われる。そして、オゾン脱臭部４を通過した空気が筐体２の吐出口２２から室内に放出されて還元される。これにより、室内の空気が脱臭されて、快適な空気環境が提供される。
【００４１】
［加温手段］
この空気清浄機１では、触媒フィルタ３２を加温するための加温手段３４を有する（図２および図３参照）。この加温手段３４は、湾曲可能なコード状構造を有し、例えば、コードヒータにより構成される。加温手段３４は、触媒フィルタ３２に対して直接的にあるいは中間部材（伝熱部材３４２）を介して間接的に接触するように配置されている。
【００４２】
かかる構成では、空気清浄機１の稼働時にて加温手段３４により触媒フィルタ３２が加温される。これにより、触媒フィルタ３２に吸着されたガス状臭気の分解が促進されるので、触媒フィルタによる分解性能が向上する利点がある。また、かかる構成では、送風を停止することなくガス状臭気の分解が促進されるので、常時連続的に発生し続ける臭気が効果的に分解処理される。これにより、触媒フィルタ３２におけるガス状臭気の蓄積が抑制されるので、フィルタ（吸着脱臭部３）の交換寿命が延びる利点がある。
【００４３】
また、加温手段３４が湾曲可能なコード状構造を有する（コードヒータから成る）構成では、加温手段３４が触媒フィルタ３２の面上に引き回されて配置されることが好ましい（図３参照）。例えば、加温手段３４が触媒フィルタ３２の略全面に渡って蛇行するように配置される。また、加温手段３４は、触媒フィルタ３２の上流側あるいは下流側のいずれに配置されても良い。かかる構成では、加温手段３４がコードヒータから成るので、一本あるいは少数本の加温手段３４により触媒フィルタ３２の略全域を加温できる。これにより、簡素な加温手段３４にて触媒フィルタ３２を効果的に加温できる利点がある。
【００４４】
なお、上記の構成では、加温手段３４の蛇行間隔（蛇腹配置にかかるピッチ）が通風の妨げとならないように適宜規定されることが好ましい。
【００４５】
また、かかる構成では、加温手段３４と触媒フィルタ３２との間に、熱伝導特性を有する伝熱部材３４２が挟み込まれて配置されることが好ましい（図３参照）。すなわち、加温手段３４が伝熱部材３４２を介して触媒フィルタ３２に密着させられて配置される。かかる伝熱部材３４２は、例えば、金属製あるいはポリプロピレン製のメッシュ材により構成される。かかる構成では、伝熱部材３４２を介して加温手段３４から触媒フィルタ３２への効率的な伝熱が実現される。これにより、触媒フィルタ３２の加温が効率的に行われるので、触媒フィルタ３２によるガス状臭気の分解性能が向上する利点がある。また、伝熱部材３４２の介在により加温手段３４と触媒フィルタ３２との直接的な摩擦接触が抑制されるので、加温手段３４の断線が効果的に抑制される利点がある。
【００４６】
また、上記の構成では、加温手段３４が触媒フィルタ３２の上流側（集塵フィルタ３１と触媒フィルタ３２との間に配置されることが好ましい（図２および図３参照）。すなわち、吸着脱臭部３では、上流側から順に、集塵フィルタ３１、加温手段３４および触媒フィルタ３２が配置される。かかる構成では、空気が上流側にて加温された後に触媒フィルタ３２に供給されるので、加温手段３４が触媒フィルタ３２の下流側に配置される構成と比較して、触媒フィルタ３２が効率的に加温される。これにより、触媒フィルタ３２の処理性能が向上する利点がある。
【００４７】
［加温手段の保持構造］
また、この空気清浄機１では、加温手段３４が保持部材３５により保持される（図３〜図６参照）。保持部材３５は、コードヒータである加温手段３４を蛇行させた状態にて保持し、この加温手段３４が触媒フィルタ３２の上流側の面に略接触（直接あるいは伝熱部材３４２を介して間接的に接触）するように配置される。
【００４８】
保持部材３５は、ガイド部３５１および複数の係止部３５２を有する。ガイド部３５１は、一本（あるいは点在して配置された複数本（図示省略））の溝から成り、設置状態にて触媒フィルタ３２の表面上を蛇行するように延在している。また、このガイド部３５１は、加温手段３４のコード径に対応した溝幅を有すると共に、保持された加温手段３４の一部が溝内から突出する程度の溝深さを有する。係止部３５２は、例えば、加温手段３４を係止する爪であり、ガイド部３５１の湾曲位置（さらにはガイド部３５１の直線位置（図示省略））に対して半ターン毎に配置される。
【００４９】
この保持部材３５では、設置状態（吸着脱臭部３の組立状態）にて、ガイド部３５１が加温手段３４の延在方向をガイドすると共に加温手段３４を触媒フィルタ３２の面に対して当接させる（図７参照）。具体的には、加温手段３４がガイド部３５１に嵌め込まれ、触媒フィルタ３２の平面に沿って蛇行した状態で保持される。また、加温手段３４がガイド部３５１によって触媒フィルタ３２の平面に押し付けられて接触する（図７参照）。また、加温手段３４が爪状の係止部３５２に引っ掛けられて或いは挟み込まれて係止され、ガイド部３５１内にしっかりと保持される（図８参照）。
【００５０】
かかる構成では、設置状態にて加温手段３４がガイド部３５１により延在方向をガイドされる。また、このガイド部３５１により、加温手段が触媒フィルタ３２に付勢されて（直接あるいは伝熱部材を介して）当接する。これにより、加温手段３４から触媒フィルタ３２への伝熱効率が向上するので、触媒フィルタ３２の処理性能が向上する利点がある。
【００５１】
また、かかる構成では、加温手段３４が爪状の係止部３５２に引っ掛けられ或いは挟み込まれて係止される。これにより、加温手段３４および保持部材３５の組立時にて、湾曲し易い加温手段３４を引き回しつつ保持部材３５に対して容易に取り付け得る利点がある。
【００５２】
また、この空気清浄機１では、保持部材３５が粘着部３５３を有する。そして、この粘着部３５３が蛇行して配置された加温手段３４を蛇行方向に縦断して配置されることにより、加温手段３４が固定される（図４参照）。例えば、この実施例では、粘着部３５３が粘着テープなどにより構成される。また、粘着部３５３が加温手段３４の蛇行幅の略中央を縦断して配置され、また、上記のように係止部３５２が加温手段３４の湾曲位置（蛇行の折り返し端部）を半ターン毎に係止している。これにより、加温手段３４が保持部材３５のガイド部３５１内に確実に固定されている。
【００５３】
特に、かかる構成では、粘着部３５３が加温手段３４を縦断して固定するので、加温手段３４を保持部材に取り付ける工程が容易となる利点がある。例えば、製品の組立工程では、加温手段３４が係止部３５２に引っ掛けられつつ引き回されてガイド部３５１内に嵌め込まれる。そして、蛇行する加温手段３４の中央部を縦断するように粘着部３５３が貼り付けられて、加温手段３４が固定される。したがって、加温手段３４を引き回しつつ容易に固定することができる。
【００５４】
また、この空気清浄機１では、加温手段３４が一本のコードヒータから成る。そして、かかる加温手段３４が保持部材３５の一方の端部から他方の端部に向かって保持部材３５内を蛇行しつつ配置される（図４参照）。例えば、加温手段３４が、保持部材３５の一方の端部から保持部材３５内に引き込まれ、保持部材３５内（設置状態にて触媒フィルタ３２に関与する領域内）を一方通行にて蛇行し、引き込まれた側の端部とは異なる側の端部から引き出されて配置される。また、この加温手段３４では、触媒フィルタ３２の加温に寄与しない部分（触媒フィルタ３２に接触しない部分。図４中では、保持部材３５の外部に引き出されている部分。）がリード線３４１により構成されており、このリード線３４１が所定の位置にてコネクタに接続されている。
【００５５】
かかる構成では、加温手段３４が一本のコードヒータから成るので、加温手段３４が複数本のコードヒータから成る構成と比較して、簡素かつ効率的にコードヒータを引き回して配置できる利点がある。また、複数本のコードヒータでは、各コードヒータ間の温度が相互に異なることがある。この点において、上記の構成は、一本のコードフィルタによる単一の温度にて触媒フィルタ３２が加熱される点で好ましい。
【００５６】
また、この空気清浄機１では、加温手段３４が温度過昇を防止するサーモユニット３６を有し、このサーモユニット３６が保持部材３５に保持されると共に設置状態にて触媒フィルタ３２の面の略中央に配置されることが好ましい（図４および図９〜図１１参照）。サーモユニット３６は、例えば、サーモスタット、温度ヒューズ、サーミスタ等により構成され、これらが一体化されて構成されている。なお、サーモスタット３６を構成するこれらの要素は、別体として構成されても良い。また、保持部材３５の略中央には、ユニット保持部３５４が設けられており、このユニット保持部３５４にてサーモユニット３６が保持される。また、ユニット保持部３５４は、他のガイド部３５１、係止部３５２、縦溝３５５と共に一体成形されている。
【００５７】
かかる構成では、サーモユニット３６が触媒フィルタの面の略中央に位置するので、加温手段３４の温度が的確に検出される。すなわち、上記のように加温手段３４が触媒フィルタ３２の面上に蛇行して配置される構成では、加温手段３４の温度過昇が触媒フィルタの略中央にて生じ易い。したがって、かかる位置にサーモユニット３６が配置されることにより温度の検出精度が向上する。これにより、加温手段３４の温度過昇が適切に防止されるので、製品の安全性が向上する利点がある。
【００５８】
また、上記の構成では、サーモユニット３６の単一の感熱部が加温手段３４上の複数の位置から温度を検出することが好ましい。例えば、上記のようにコード状の加温手段３４が蛇行して配置される構成では、サーモユニット３６が加温手段３４の蛇行間隔を跨いで配置されることにより、隣り合う異なる部分の温度が検出される（図９参照）。このとき、サーモユニット３６が設置された位置では、加温手段３４の蛇行間隔が狭められる等により加温手段３４が密に配置されることが好ましい。
【００５９】
かかる構成では、加温手段３４の複数の位置から温度が検出されるので、一つの位置から温度が検出される構成と比較して、温度の検出精度が向上する。これにより、加温手段３４の温度過昇が適切に防止されるので、製品の安全性が向上する利点がある。例えば、一つの位置から温度が検出される構成では、感熱部の熱容量によって加温手段３４の温度が部分的に低下し、温度が適正に検出されないおそれがある。
【００６０】
また、上記の構成では、保持部材３５がサーモユニット３６を保持するユニット保持部３５４を有し、且つ、サーモユニット３６とユニット保持部３５４との間に断熱部材３６１が配置されることが好ましい（図１０参照）。かかる構成では、断熱部材３６１の断熱作用により、ユニット保持部３５４の熱容量によるサーモユニット３６の温度低下が低減される。これにより、サーモユニット３６による温度の検出精度が向上するので、加温手段３４の温度過昇がさらに効果的に防止される利点がある。
【００６１】
なお、上記の構成では、保持部材３５内を縦断する縦溝３５５が形成されており、この縦溝３５５内にサーモユニット３６の配線３６２が収納される（図１１参照）。そして、縦溝３５５の開口部を塞ぐように粘着部３５３が配置され、この粘着部３５３上を加温手段３４が横断して固定される。
【００６２】
また、この空気清浄機１では、保持部材３５がサブフィルタ（触媒フィルタ３２以外のフィルタ）の保持部材を兼ねることが好ましい。これにより、サブフィルタの保持部材が省略されるので、製品の部品点数が低減される利点がある。なお、サブフィルタとしては、例えば、触媒フィルタ３２に積層される集塵フィルタ３１、活性炭フィルタ３３が挙げられる。この実施例では、保持部材３５が触媒フィルタ３２の上流側に配置されるため、集塵フィルタ３１が保持部材３５により保持されている（図４参照）。また、保持部材３５の上流側（加温手段３４の配置位置とは異なる側）に複数の爪部３５６が設けられており、これらの爪部３５６によって集塵フィルタ３１が係止されている（図３および図５参照）。
【産業上の利用可能性】
【００６３】
以上のように、本発明にかかる空気清浄機は、空気中の臭気成分を分解処理する触媒フィルタを有すると共にこの触媒フィルタの処理性能を向上できる点で有用である。
【図面の簡単な説明】
【００６４】
【図１】この発明の実施例にかかる空気清浄機を示す斜視図である。
【図２】この発明の実施例にかかる空気清浄機を示す側面断面図である。
【図３】図１に記載した空気清浄機の加温手段の配置構成を示す組立斜視図である。
【図４】図３に記載した加温手段の保持構造を示す平面図である。
【図５】図４に記載した加温手段の保持部材を示す平面図である。
【図６】図４に記載した加温手段の保持部材を示す背面図である。
【図７】図４に記載した加温手段の保持構造を示す説明図である。
【図８】図４に記載した加温手段の保持構造を示す説明図である。
【図９】図４に記載した加温手段のサーモユニットの保持構造を示す説明図である。
【図１０】図４に記載した加温手段のサーモユニットの保持構造を示す説明図である。
【図１１】図４に記載した加温手段のサーモユニットの保持構造を示す説明図である。
【符号の説明】
【００６５】
１     空気清浄機
２     筐体
２１   吸込口
２２   吐出口
３     吸着脱臭部
３１   集塵フィルタ
３２   触媒フィルタ
３３   活性炭フィルタ
３４   加温手段
３４１ リード線
３４２ 伝熱部材
３５   保持部材
３５１ ガイド部
３５２ 係止部
３５３ 粘着部
３５４ ユニット保持部
３５５ 縦溝
３５６ 爪部
３６   サーモユニット
３６１ 断熱部材
３６２ 配線
４     オゾン脱臭部
４１   ケース
４２   紫外線ランプ
５     送風機
６     制御部
Ｒ     空気通路
【図１】
0004640096.tif 000002
【図２】
0004640096.tif 000003
【図３】
0004640096.tif 000004
【図４】
0004640096.tif 000005
【図５】
0004640096.tif 000006
【図６】
0004640096.tif 000007
【図７】
0004640096.tif 000008
【図８】
0004640096.tif 000009
【図９】
0004640096.tif 000010
【図１０】
0004640096.tif 000011
【図１１】
0004640096.tif 000012